(57)【要約】【課題】洗浄機能、乾燥機能を高めた回転ドラム式の洗浄装置の提供。【解決手段】無数の孔１が設けられた円筒体の内面に螺旋状の突条２を固定したドラム３を斜めに支持してあり、該ドラムが回転して被洗浄物４がドラム内をドラムの軸方向に移動し、移動する被洗浄物にドラム入口側で洗浄液を噴射し、ドラム出口側で熱風を噴射して洗浄と乾燥を連続的に行う洗浄装置において、ドラムの内側及び外側に洗浄液の供給管５ａ，５ｂをドラムの軸方向に沿って配設してあり、各洗浄液の供給管にはドラム内の被洗浄物に向けて洗浄液を強力に噴射する洗浄液噴射ノズル６ａ，６ｂを複数有しており、ドラム内側に設けた洗浄液の供給管５ａがその中心軸回りに往復回転し、洗浄液の噴射方向が周期的に変わるようにした。また、乾燥を行う部分のドラム３の周囲と出口側をカバー体７で覆った。【選択図】      図１
2004275819.tif 000002
【特許請求の範囲】
【請求項１】
無数の孔（１）が設けられた円筒体の内面に螺旋状の突条（２）を固定したドラム（３）を斜めに支持してあり、該ドラムが回転して被洗浄物（４）がドラム内をドラムの軸方向に移動し、移動する被洗浄物にドラム入口側で洗浄液を噴射し、ドラム出口側で熱風を噴射して洗浄と乾燥を連続的に行う洗浄装置において、ドラムの内側及び外側に洗浄液の供給管（５ａ，５ｂ）をドラムの軸方向に沿って配設してあり、各洗浄液の供給管にはドラム内の被洗浄物に向けて洗浄液を強力に噴射する洗浄液噴射ノズル（６ａ，６ｂ）を複数有しており、ドラム内側に設けた洗浄液の供給管（５ａ）がその中心軸回りに往復回転し、洗浄液の噴射方向が周期的に変わることを特徴とする洗浄装置。
【請求項２】
無数の孔（１）が設けられた円筒体の内面に螺旋状の突条（２）を固定したドラム（３）を斜めに支持してあり、該ドラムが回転して被洗浄物（４）がドラム内をドラムの軸方向に移動し、移動する被洗浄物にドラム入口側で洗浄液を噴射し、ドラム出口側で熱風を噴射して洗浄と乾燥を連続的に行う洗浄装置において、乾燥を行う部分のドラムの周囲と出口側をカバー体（７）で覆ってあることを特徴とする洗浄装置。
【発明の詳細な説明】
【０００１】
【発明の属する技術分野】
本発明は、主に機械加工により製作したボルト、ナット、座金などの部品を、連続的に能率良く洗浄することのできる洗浄装置に関するものである。
【０００２】
【従来の技術】
旋盤やプレス機等によって製作した部品は、切削油や切り屑が付着していたりバリが有ったりするので、これらを除去するために洗浄装置にかけられる。機械加工部品の洗浄装置としては、回転ドラム式のものが知られている（例えば特許文献１、特許文献２参照。）。この洗浄装置は、無数の孔の空いた円筒体で内面に螺旋状の突条を固定したドラムを備え、そのドラムが下部側を洗浄槽に浸漬して斜めに支持されて回転し、ドラムの下部側の開口から投入された被洗浄物は、ドラムの回転に伴ってドラム内を下から上に向って搬送され、搬送中にドラム内に設けたノズルから洗浄液が噴射されて被洗浄物が洗浄される。洗浄された被洗浄物は、ドラムの上部側の開口から順次排出される。ドラム内の上部側に熱風を送るエアノズルを備え、被洗浄物が乾燥されてドラムから排出されるようにしたものもある。
【０００３】
【特許文献１】
特開昭６３−３６８８４号公報
【特許文献２】
特開平６−２５４５１５号公報
【０００４】
【発明が解決しようとする課題】
このような従来の回転ドラム式の洗浄装置においては、被洗浄物が深い凹凸や穴のあるような複雑な形状である場合に、十分に洗浄できなかったり、乾燥が不十分となることがあった。本発明はこうした実情に鑑み、洗浄機能、乾燥機能を高めた回転ドラム式の洗浄装置の提供を目的とする。
【０００５】
【課題を解決するための手段】
上記の課題を達成するために請求項１記載の発明は、無数の孔が設けられた円筒体の内面に螺旋状の突条を固定したドラムを斜めに支持してあり、該ドラムが回転して被洗浄物がドラム内をドラムの軸方向に移動し、移動する被洗浄物にドラム入口側で洗浄液を噴射し、ドラム出口側で熱風を噴射して洗浄と乾燥を連続的に行う洗浄装置において、ドラムの内側及び外側に洗浄液の供給管をドラムの軸方向に沿って配設してあり、各洗浄液の供給管にはドラム内の被洗浄物に向けて洗浄液を強力に噴射する洗浄液噴射ノズルを複数有しており、ドラム内側に設けた洗浄液の供給管がその中心軸回りに往復回転し、洗浄液の噴射方向が周期的に変わることを特徴とする。
【０００６】
ドラム内に投入された被洗浄物は、螺旋状の突条に押されて、反転したり互いに擦れあったりしながらドラム内を移動し、その過程でドラムの内側と外側とから洗浄液の強力な噴射を受け、切削油や切り屑、バリなどが除去される。ドラム内側に設けた洗浄液の供給管が往復回転し、洗浄液の噴射方向が周期的に変わることで、全ての被洗浄物に満遍なく様々な角度で洗浄液が当り、且つ角度動きを伴うことで洗浄液の威力が増すことから、深い凹凸や穴に入った油や切り屑等も確実に取り除かれることとなる。供給管の往復回転動作は、ドラムの回転速度と関係なく行ってもよいが、ドラムの回転と同期させた場合には、被洗浄物の移動する速度に合わせて洗浄液の噴射角度が変わるので、より高度な洗浄が行える。また洗浄液は、加熱して噴射することが好ましい。洗浄液噴射ノズルは、洗浄液を強力に噴射できるものであれば良いが、特に洗浄液を低圧高速で噴射するものが好ましい。
【０００７】
請求項２記載の発明は、無数の孔が設けられた円筒体の内面に螺旋状の突条を固定したドラムを斜めに支持してあり、該ドラムが回転して被洗浄物がドラム内をドラムの軸方向に移動し、移動する被洗浄物にドラム入口側で洗浄液を噴射し、ドラム出口側で熱風を噴射して洗浄と乾燥を連続的に行う洗浄装置において、乾燥を行う部分のドラムの周囲と出口側をカバー体で覆ってあることを特徴とする。
【０００８】
従来のものは、ドラムが孔だらけの状態であって、且つドラムの出口側が開放していたため、被洗浄物に熱風を当てても熱はすぐに逃げていってしまうので、主に風圧によって水分が除去されるだけであったが、本発明のようにドラムの周囲と出口側をカバー体で覆ったときには、熱がカバー体によって閉じ込められ、ドラム内の温度が上昇するから、乾燥機能が大きく高められる。
【０００９】
【発明の実施の形態】
以下、本発明の実施形態を図面に基づいて説明する。図１から図５には、本発明の洗浄装置の一実施形態を示している。この洗浄装置は、主に機械加工によって製作したナットやワッシャー等の小さな部品をドラム３により搬送し、その途中でその部品に洗浄液と熱風を当てることにより、連続的に且つ自動的に洗浄、乾燥を行うものである。
【００１０】
ドラム３は、数ミリの孔１が無数に空けられたステンレス製パンチングメタルを用いて、細長い円筒状に形成されている。ドラム３には、連続した螺旋状の突条２を、ドラムの内面に固定して設けてある。このドラム３は、軸線を水平線から約１０°程度傾け、本体ケース８内に構成した洗浄槽９に下端部分が浸漬する状態で、回転自在に支持してある。図１中の１０は、洗浄液の液面を示している。ドラム３の支持は、ドラムの外周の二箇所にツバ状部１１を設け、このツバ状部１１を３個ずつの溝付コロ１２でガイドすることで行っている。各溝付コロ１２は、本体ケース内に起立して設けた二枚のドラム支持板１３ａ，１３ｂに、図４に示すように、ドラム３の下側に二つ、上側に一つ設置され、ドラム支持板１３ａ，１３ｂにはドラム３を挿通するためにＵ字状の切り欠き１４が設けてあって、上側の溝付コロ１２は前記切り欠き１４に跨がって設けた別体の取付板１５に設置してあり、取付板１５をドラム支持板１３ａ，１３ｂから外せば、ドラム３を上方より着脱できる。
【００１１】
さらにドラム３には、ドラムギア１６をその外周に固定して設けてある。ドラムギア１６には、駆動モーター１７の軸に取付けた駆動ギア１８が噛み合い、これによってドラム３が回転駆動される。ドラム３の回転数は、通常は毎分１５〜３０回転の間で設定される。下側のドラム開口部１９には、被洗浄物４の投入シュート２０が挿入して設けてあり、上側のドラム開口部２１には、排出シュート２２が設けてある。投入シュート２０よりドラム３内に投入された被洗浄物４は、ドラム３が回転することにより螺旋状の突条２によって押され、上側のドラム開口２１に向って順次移動していき、排出シュート２２から排出される。ドラム３に投入されてから排出されるまでにかかる時間はドラム３の回転速度によって決まり、通常は約３０秒〜１分の範囲である。
【００１２】
ドラム３の内側と外側には、図２と図３に示すように洗浄液の供給管５ａ，５ｂが、ドラム３の軸方向に設置してある。ドラム外側に設けた洗浄液の供給管５ｂには、洗浄液を上向きに噴射する洗浄液噴射ノズル６ｂが、管の長手方向に間隔をおいて複数設置されている。ドラム内側に設けた洗浄液の供給管５ａには、洗浄液を下向きに噴射する洗浄液噴射ノズル６ａが、管の長手方向に間隔をおいて複数設置されている。各洗浄液噴射ノズル６ａ，６ｂからは、８０℃程度に加熱された洗浄液が低圧高速で噴射される。洗浄液の圧力は約３ｋｇ／ｃｍ２としてあり、また洗浄液の流量は、全体で毎分１５０〜２００リットルである。
【００１３】
ドラム内側の洗浄液の供給管５ａは、その中心軸回りに約５０°程度の一定の角度範囲で往復回転する機能を備えている。その仕組みについて図１と図４に即して説明すると、洗浄液の供給管５ａは軸受２３により回転自在に支持されており、基端部に駆動レバー２４を設けてある。駆動レバー２４は、クランク軸２５にリンク２６で連結されており、クランク軸２５は、先端部に設けたピニオンギア３６がドラムギア１６と噛み合い、ドラム３と共に常時回転する。したがってドラム３が回転すると、これに連動して洗浄液の供給管５ａが往復回転する。往復回転の速度はなるべく速い方が好ましく、例えばドラム３が一回転する間に６回程度往復するようにギア比を設定する。
【００１４】
ドラム３の上端側には、ドラム３の周囲と出口側をカバー体７で覆い、内部に５００℃程度に加熱された熱風を噴射するノズル２７を設けて、乾燥炉２８を構成してある。カバー体７には、被洗浄物４の排出孔２９を設けてある。乾燥炉２８の内部は、熱風の熱が閉じ込められることから、８０℃〜２００℃程度にまで温度が上昇する。乾燥炉２８内を通過する被洗浄物４は、熱風の風圧と熱によって、短時間で完全に乾燥される。乾燥炉２８は、熱風による加熱と合わせて、例えば電気ヒータ等の他の加熱手段によって加熱してもよい。
【００１５】
この洗浄装置は、図５に示すようにキャスター付の架台３０上に設置され、架台３０には洗浄液を加圧、加熱、清浄化して循環させるためのポンプ３１、ヒータ３２、油水分離装置３３を設置してある。洗浄槽９の底部から回収された汚れた洗浄液は、まずポンプ３１によって加圧され、次に油水分離装置３３に通されて油分と切り屑等の異物がフィルターに吸着して除去され、その後ヒータ３２によって約８０℃に加熱され、再び洗浄装置の洗浄液供給管５ａ，５ｂに送られる。さらに架台３０には、乾燥炉２８に送り込む約５００℃の熱風を発生させるためのブロア３４及びヒータ３５が設置されている。
【００１６】
以上のように構成された洗浄装置の作用について述べると、投入シュート２０を介してドラム３内に投入された被洗浄物４は、まず最初に洗浄液に浸漬された状態で上下から洗浄液の強力な噴射を受けて、油や切り屑等があらかた除去される。次いで被洗浄物４はドラム３内を移動して洗浄槽９の液面１０から離れ、上下の洗浄液噴射ノズル６ａ，６ｂから強力な洗浄液の噴射を直接受けることによって仕上げの洗浄が行われる。この時、ドラム内側に設けた洗浄液の供給管５ａが往復回転し、洗浄液の噴射方向が周期的に変わることで、全ての被洗浄物４に様々な角度で満遍なく洗浄液が衝射され、且つ角度動きを伴うことで洗浄液の洗浄作用が増大することから、被洗浄物４の深い凹凸や穴に入り込んだ油や切り屑も確実に除去されることとなる。その後、被洗浄物４は乾燥炉２８の内部に移動し、熱風による風圧と加熱を受けることで完全に乾燥され、排出シュート２２より排出される。本洗浄装置においては、これらの作用が連続的且つ自動的に行われ、大量の被洗浄物を能率良く処理することができる。
【００１７】
本発明の洗浄装置は、以上に述べた実施形態に限定されるものではない。ドラムは、必ずしも下部側を洗浄槽の洗浄液に浸漬させなくてもよい。被洗浄物の形状や大きさ等によっては、最初から洗浄液を直接当てた方が効果的な場合もあるからである。また、本洗浄装置の前の工程において、本装置と同じような孔空き状のドラムで被洗浄物を搬送し、その途中で被洗浄物に強力なエアーや、８０℃〜２００℃程度の温風を当て、予め油や切り屑等をおおむね除去する工程を設けると、本洗浄装置をより高能率で働かせ、より精密な洗浄を行うのに効果的である。
【００１８】
【発明の効果】
請求項１記載の発明による洗浄装置は、ドラム内に設けた洗浄液の供給管が往復回転し、洗浄液の噴射方向が周期的に変化することで、全ての被洗浄物に様々な角度で満遍なく洗浄液が当り、且つ角度動きを伴うことで洗浄液の威力が増すことから、深い凹凸や穴に入った油や切り屑等も確実に取り除かれ、洗浄機能が大きく向上する。
【００１９】
請求項２記載の発明による洗浄装置は、乾燥を行う部分のドラムの周囲と出口側をカバー体で覆ったことで、熱がカバー体によって閉じ込められてドラム内の温度が上昇するから、乾燥機能が大きく高められる。
【図面の簡単な説明】
【図１】本発明の洗浄装置の正面図である。
【図２】本発明の洗浄装置のドラム部分の断面図である。
【図３】図１におけるＡ−Ａ断面図である。
【図４】図１におけるＸ矢視図である。
【図５】本発明の洗浄装置の全体構成を示す概略正面図である。
【符号の説明】
１  孔
２  螺旋状の突条
３  ドラム
４  被洗浄物
５ａ，５ｂ  洗浄液の供給管
６ａ，６ｂ  洗浄液噴射ノズル
７  カバー体
【図１】
2004275819.tif 000003
【図２】
2004275819.tif 000004
【図３】
2004275819.tif 000005
【図４】
2004275819.tif 000006
【図５】
2004275819.tif 000007